(57)【特許請求の範囲】
【請求項１】
薬剤収納部(2)に収納された錠剤、カプセル等の薬剤(12)を薬剤搬出ローター(5)の回転により搬出する構成とし、該薬剤搬出ローター(5)の外周には、前記薬剤を上下方向に複数個整列しうる薬剤整列部(4)と、薬剤収容容器本体(1a)には、前記薬剤搬出ローター(5)を介して複数個整列した薬剤の下方に位置する薬剤(12)のみを排出させる仕切体(8)とが設けられ、且つ該仕切体(8)又は薬剤搬出ローター(5)の少なくとも何れか一方には、薬剤搬出時に薬剤整列部(4)と仕切体(8)との間に挟まった薬剤の破損を防止する破損防止手段が設けられてなる錠剤等の薬剤選択供給装置用の薬剤収容容器において、
前記破損防止手段は、薬剤整列部(4)に整列された下方の薬剤(12)を排出口(7)より順次排出するための仕切体(8)で構成されており、
仕切体(8)は、薬剤収容容器本体(1a)に一端側のみを固定されて板バネ材からなる仕切体本体(8a)の一部位を水平方向に直角に折曲して形成されてなり、
仕切体(8)は、薬剤(12)が薬剤整列部(4)と仕切体(8)との間に挟まった場合に板バネの弾性によって薬剤整列部(4)より薬剤(12)の厚み分離反するものであることを特徴とする錠剤等の薬剤選択供給装置用の薬剤収容容器。
【請求項２】
前記仕切体(8)が薬剤整列部(4)に整列する薬剤(12)の全長に対して上下方向に移動可能な構成にしてなる請求項１に記載の錠剤等の薬剤選択供給装置用の薬剤収容容器。
【請求項３】
前記仕切体(8)が薬剤搬出ローター(5)の薬剤整列部(4)に上下方向で複数個整列した薬剤の夫々に対応すべく複数設けられた構成にしてなることを特徴とする請求項１または請求項２に記載の錠剤等の薬剤選択供給装置用の薬剤収容容器。
【発明の詳細な説明】
【０００１】
【発明の属する技術分野】
本発明は、主として病院等に設置され、且つ錠剤、カプセル等の薬剤を患者毎の処方箋に従って適宜選択して取り出すための薬剤選択供給装置に装着される錠剤等の薬剤選択供給装置用の薬剤収容容器に関する。
【０００２】
【従来の技術】
従来、この種薬剤選択供給装置用の薬剤収容容器としては、以下に示すものが一般的に存在する。
【０００３】
即ち、係る薬剤収容容器は、図４に示す様に、錠剤、カプセル等の薬剤12を収納する薬剤収納部２と、その薬剤収納部２内に回転自在に設けられると共に、外周に所定の間隔を有して設けられた複数の凸部３を介して前記薬剤12を上下方向で複数個整列しうる薬剤整列部４が設けられた薬剤搬出ローター５と、該薬剤搬出ローター５に設けられ、且つ図５に示す様に、薬剤収容容器１が装着される円塔状の薬剤選択供給装置９の薬剤選択供給装置本体9aの各段毎の容器支持体台に設けられた回転駆動装置10に設けられた駆動ギア11に連結可能な従動ギア６と、該薬剤搬出ローター５の薬剤整列部４を介して所定の箇所まで搬出されると共に、上下方向で複数個整列した薬剤12の下方に位置する薬剤12のみを薬剤収容容器本体1aの所定の箇所に形成された排出口７より順次排出するための仕切体８が設けられ、しかも前記薬剤搬出ローター５は前記薬剤整列部４を有した整列ローター5aと、該整列ローター5aの上方に位置し、且つ薬剤収納部２に収納された薬剤12を攪拌する攪拌ローター5bとから形成されてなる。
【０００４】
よって、前記薬剤搬出ローター５を回転させる従動ギア６も夫々の回転比（直径）を異にする低速側ギア6aが前記整列ローター5aの中芯軸体に直結され、且つ高速側ギア6bが該整列ローター5aの中芯軸体内を貫通した攪拌ローター5bの中芯軸体に直結されてなると共に、前記回転駆動装置10に設けられた駆動ギア11も前記低速側ギア6a及び高速側ギア6bの夫々に歯合すべく夫々の回転比（直径）を異にする第１ギア11a と第２ギア11b とに分割されて前記回転駆動装置10から突出した駆動軸に共に装着された構成にしてなるものである。
【０００５】
上記構成からなる薬剤収容容器１を用いれば、処方箋等のデータに従って薬剤選択供給装置９の回転駆動装置10を介して薬剤搬出ローター５を構成する整列ローター5aと、攪拌ローター5bとの双方の回転速度を異にして個々に回転させることにより、薬剤収納部２に収納された薬剤12の個々を確実に薬剤搬出ローター５の薬剤整列部４を介して搬出させて前記排出口７より順次排出することが出来るのである。
【０００６】
【発明が解決しようとする課題】
然しながら、上記構成からなる薬剤収容容器に於いては、下記の様な問題点があった。
即ち、上記構成からなる薬剤収容容器は、薬剤搬出ローター５の薬剤整列部４を介して排出口７の上方まで複数個整列されて搬出される上方の薬剤12の落下を仕切体８で阻止しつつ下方に位置する薬剤12のみを順次排出口７より排出することが出来るものであるが、薬剤収容容器１に収納される薬剤12は、常に薬剤整列部４の空間内に略一杯に入り込む全長及び厚みを有したカプセル等の形状に限定されるものではなく、例えば厚みが極端に薄い略小判状等の異形状に形成された薬剤12を用いる場合もある。
【０００７】
従って、例えば、厚みが極端に薄い異形状の薬剤12を薬剤収容容器１に収納した場合には、薬剤搬出時に薬剤搬出ローター５の薬剤整列部４に収納される薬剤12が上下方向で所定数の整列状態とならず、薬剤整列部４内に所定数を超えて重なる様に複数収納されて排出口７の上方まで搬出される場合もあり、よって所定数を超えて複数重なった薬剤12は薬剤整列部４と仕切体８との間に挟まることとなって簡単に破損するだけでなく、正確な薬剤12の排出をも行うことが出来ないという極めて重大な問題が生じることとなり、何らかの解決策が望まれていた。
【０００８】
然して、本発明は上記問題点を解決するものであり、薬剤搬出時に薬剤搬出ローターの薬剤整列部を介して所定の箇所まで搬出された薬剤が薬剤整列部と仕切体との間に挟まった場合であっても、薬剤の破損を確実に防止することが出来る極めて優れた錠剤等の薬剤選択供給装置用の薬剤収容容器を提供することを課題とするものである。
【０００９】
【課題を解決するための手段】
本発明は、上記課題を解決するために全く新しい錠剤等の薬剤選択供給装置用の薬剤収容容器を発明し、以下の手段を講じたものである。
【００１０】
即ち、本発明に於ける薬剤収容容器は、薬剤収納部２に収納された錠剤、カプセル等の薬剤12を薬剤搬出ローター５の回転により搬出する構成にしてなる錠剤等の薬剤選択供給装置用の薬剤収容容器において、該薬剤搬出ローター５の外周には、前記薬剤を上下方向に複数個整列しうる薬剤整列部４と、薬剤収容容器本体1aには、前記薬剤搬出ローター５を介して複数個整列した薬剤の下方に位置する薬剤12のみを排出させる仕切体８とが設けられ、薬剤搬出時に薬剤整列部４と仕切体８との間に挟まった薬剤の破損を防止する破損防止手段が設けられてなることから、薬剤搬出時に薬剤搬出ローター５の薬剤整列部４を介して所定の箇所まで搬出された薬剤12が薬剤整列部４と仕切体８との間に挟まった場合であっても、薬剤12の破損を確実に防止することが出来、よって如何になる形状の薬剤12を用いても正確な薬剤12の排出を行うことが出来る利点がある。
【００１１】
更に、薬剤12の破損防止手段が、復元力を有した仕切体８で構成されてなることから、薬剤搬出時に薬剤搬出ローター５の薬剤整列部４を介して所定の箇所まで搬出された薬剤12が薬剤整列部４と仕切体８との間に挟まった場合であっても、仕切体８が薬剤整列部４より薬剤12の厚み分離反して薬剤12を素通りさせると共に、その後は再び元の位置まで戻ることとなり、しいては薬剤12の破損を確実に防止することが出来る利点がある。
【００１２】
又、仕切体８が薬剤整列部４に整列する薬剤12の全長に対して上下方向に移動可能なことから、薬剤整列部４に上下方向で複数個整列される各種薬剤12の全長に対して仕切体８の位置を変更することが出来る利点がある。
【００１３】
更に、仕切体８が薬剤搬出ローター５の薬剤整列部４に上下方向で複数個整列した薬剤12の夫々に対応すべく複数設けられてなることから、薬剤整列部４内に収納される薬剤12の個々を確実に仕切ることが出来るだけでなく、薬剤収納部２に収納された薬剤12の不意な薬剤整列部４への落ち込みをも確実に防止することが出来る利点がある。
【００１４】
【発明の実施の形態】
＜第一実施形態＞
以下、本発明の薬剤収容容器の一実施形態を図面に従って説明するが、従来の薬剤収容容器と同じ箇所の説明は以下省略する。
図１及び図２に於いて、1 は薬剤選択供給装置（図示せず）に装着脱可能で、且つ各種錠剤、カプセル等の薬剤を収納可能な薬剤収納部２が設けられるべく透明の樹脂材にて成形された薬剤収容容器を示し、1aは薬剤収容容器本体を示すと共に、該収容容器本体1aの薬剤収納部２は平面視略扇形に形成されてなる。
【００１５】
尚、上記薬剤搬出ローター５が収納された収容容器本体1aの排出口７の真上位置には、該薬剤搬出ローター５に設けられた薬剤整列部４に上下方向で２個（図示せず）整列される薬剤12の個々を確実に仕切るべく板バネ材から形成された上下一対の仕切体８が薬剤搬出ローター５の薬剤整列部４に対向して設けられてなり、しかも該各仕切体８は、図２に示す様に、仕切体本体8aの一部位を略水平方向で直角に折曲して形成されたものであり、係る仕切体８の夫々には、前記薬剤搬出ローター５が回転（矢印Ａ）することによって薬剤整列部４の空間を徐々に仕切ることが可能な斜辺部8cが形成されてなる。
【００１６】
更に、上記構成からなる仕切体本体8aは、収容容器本体1aの薬剤搬出ローター収納壁部に所定のピッチで上下方向に５個並設された雌螺子孔1bに螺着可能な調整螺子13を介して収容容器本体1aに取付けられてなり、しかも該仕切体本体8aの一端側には、前記調整螺子13が挿通可能で、且つ仕切体本体8aを上下方向に所定の寸法で移動自在とするための長穴8bが夫々並設された構成にしてなるものである。
【００１７】
よって、上記の如く各仕切体８を板バネ材で形成することにより、図２（イ）に示す様に、各仕切体８に復元力（矢印Ｄ）を付することが可能となり、従って例えば、厚みが極端に薄い異形状の薬剤を薬剤収容容器本体1aの薬剤収納部２に収納した場合において、薬剤搬出時に薬剤搬出ローター５の薬剤整列部４を介して所定の箇所まで搬出された薬剤（図示せず）が薬剤整列部４と仕切体８との間に挟まるべく重なった場合であっても、仕切体８が薬剤整列部４より重なった薬剤の厚み分離反して薬剤を素通りさせると共に、その後は再び元の位置まで戻ることとなり、しいては薬剤の破損を確実に防止することが出来る。
【００１８】
更に、上記仕切体８を有した仕切体本体8aの一端側には、前記収容容器本体1aの薬剤搬出ローター収納壁部に所定のピッチで上下方向に５個並設された雌螺子孔1bに螺着可能な調整螺子13が挿通可能で、且つ仕切体本体8aを上下方向に所定の寸法で移動自在とするための長穴8bが夫々並設されてなることから、同図（ロ）の様に、該長穴8bと前記調整螺子13を介して仕切体８の仕切り位置を薬剤整列部４に整列する薬剤12の全長に対して上下方向に自由自在に移動可能（矢印Ｅ）なことから、薬剤整列部４に上下方向で複数個整列される各種薬剤の全長に対して仕切体８の位置を容易に、且つ確実に変更することが出来る利点を有すると共に、多種多様の薬剤に収容容器を利用することが出来る汎用性を付することが出来る極めて大きな利点がある。
【００１９】
更に、上記仕切体８が、薬剤搬出ローター５の薬剤整列部４に上下方向で２個整列した薬剤の夫々に対応すべく上下一対に設けられた場合には、薬剤整列部４内に収納される薬剤12の個々を確実に仕切ることが出来るだけでなく、薬剤収納部２に収納された薬剤12が、排出口７の真上で薬剤整列部４へ不意に落ち込むのをも確実に防止することが出来る利点がある。
【００２０】
更に、上記仕切体８の夫々には、前記薬剤搬出ローター５が回転（矢印Ａ）することによって薬剤整列部４の空間を徐々に仕切ることが可能な斜辺部8cが形成されてなることから、薬剤搬出時に薬剤搬出ローター５の薬剤整列部４を介して所定の箇所まで搬出された薬剤（図示せず）が薬剤整列部４と仕切体８との間に挟まるべく重なった場合であっても、仕切体８の斜辺部8cを介して浅く重なった薬剤であれば徐々に薬剤整列部４より薬剤収納部２内に押し戻して不要な薬剤の薬剤整列部４と仕切体８との間の通過を回避することが出来る利点を有するが、必ずしも仕切体８に斜辺部8cが形成された点が本発明の必須の要件でないのは言うまでもない。
【００２１】
＜第二実施形態＞
尚、上記第一実施形態に於いて、仕切体８は、薬剤搬出ローター５の薬剤整列部４に上下方向で２個整列した薬剤の夫々に対応すべく上下一対設けられてなるが、必ずしも薬剤整列部４に複数整列される薬剤の夫々に対応すべく複数設けられる必要はなく、図３（イ）に示す様に、下方に位置する薬剤のみを排出口７より排出すべく上下方向で２個整列した薬剤を夫々仕切るべく各薬剤間に１枚だけ設けられていてもよく、更に同図（ロ）に示す様に、１枚の仕切体本体8aの両端部位が夫々折曲されて薬剤整列部４に上下方向で２個整列した薬剤の夫々に対応すべく上下一対に設けられてもよく、要は薬剤搬出時に薬剤搬出ローター５の薬剤整列部４を介して所定の箇所まで搬出された薬剤が薬剤整列部４と仕切体８との間に挟まるべく重なった場合であっても、仕切体８が薬剤整列部４より重なった薬剤の厚み分離反して薬剤を素通りさせると共に、その後は再び元の位置まで戻ることによって薬剤の破損を確実に防止する構成であれば、仕切体８の形状や数量、又復元力の具体的な手段も決して限定されるものではなく、例えば、仕切体８が薬剤収容容器本体1aに板バネ（図示せず）やコイルスプリング（図示せず）等の弾発体を介して所定の復元力を有すべく設けられていてもよいのは言うまでもない。
【００２２】
＜第三実施形態＞
更に、上記各実施形態に於いて、薬剤整列部４と仕切体８との間に挟まった薬剤の破損を防止する破損防止手段は、仕切体８を板バネ材で形成することで仕切体８に復元力を付した構成にしてなるが、必ずしも仕切体８のみに破損防止手段を付す必要はなく、例えば、図３（ハ）に示す様に、薬剤搬出ローター５の各薬剤整列部４内に薬剤当接面14a を有した板バネ等の復元力を有した弾発体14を格納してもよく、この場合でも薬剤搬出時に薬剤搬出ローター５の薬剤整列部４を介して所定の箇所まで搬出された薬剤が薬剤整列部４と仕切体８との間に挟まった際に、薬剤（図示せず）の破損を確実に防止すべく仕切体８と弾発体14の夫々を薬剤整列部４内に重なって収納された薬剤から夫々離反（矢印Ｂ，矢印Ｆ）させて薬剤の破損を防止することが出来る。
尚、上記の如く薬剤から離反した弾発体14は、薬剤搬出ローター５の回転（矢印Ａ）を介して仕切体８から離れた際に元の位置まで復元（矢印Ｃ）すると共に、再度薬剤を収納可能とする空間を有した薬剤整列部４を確実に形成することが出来る利点があるが、この場合において必ずしも仕切体８に復元力が付される必要はなく各薬剤整列部４内に設けられた弾発体14だけで破損防止手段が設けられていてもよい。
【００２３】
更に、上記構成からなる薬剤収容容器１には、選択供給装置９の回転駆動装置10を介して回転速度を個々に異にする整列ローター5aと攪拌ローター5bとからなる薬剤搬出ローター５が設けられてなることから、薬剤収納部２に収納された薬剤12の個々が湿気や薬剤の入れ過ぎ等によってブリッジリングを生じた場合でもよりスムーズに、且つ確実に薬剤収納部２に収納された薬剤12の個々を攪拌して薬剤搬出ローター５の薬剤整列部４に順次落とし込んで搬送することが出来、よって前記仕切体８の利点をより有効に活用することが出来る利点がある。
【００２４】
然して、要は仕切体又は薬剤搬出ローターの少なくとも何れか一方に、薬剤搬出時に薬剤整列部と仕切体との間に挟まった薬剤の破損を防止する破損防止手段が設けられていれば破損防止手段の具体的な構成も決して限定されないのは言うまでもない。
【００２５】
【発明の効果】
叙上のように、本発明は、薬剤搬出ローターの外周に、前記薬剤を上下方向で複数個整列しうる薬剤整列部が設けられ、且つ前記薬剤収容容器には、複数個整列した薬剤の下方に位置する薬剤のみを排出させる仕切体が設けられ、薬剤搬出時に薬剤整列部と仕切体との間に挟まった薬剤の破損を防止する破損防止手段が設けられてなることから、薬剤搬出時に薬剤搬出ローターの薬剤整列部を介して所定の箇所まで搬出された薬剤が薬剤整列部と仕切体との間に挟まった場合であっても、薬剤の破損を確実に防止することが出来、よって如何になる形状の薬剤を用いても正確な薬剤の排出を行うことが出来る極めて優れた薬剤選択供給装置用の薬剤収容容器を提供することが出来るという格別な効果を有するに至った。
【図面の簡単な説明】
【図１】  本発明の薬剤収容容器を示し、同図（イ）は正面図，同図（ロ）は断面図。
【図２】  薬剤収容容器を示し、同図（イ）は平面図，同図（ロ）は右側面図。
【図３】  薬剤収容容器の他の実施形態を示し、同図（イ），（ロ），（ハ）は仕切体近傍の要部拡大図。
【図４】  従来の薬剤収容容器の断面図。
【図５】  薬剤収容容器の薬剤選択供給装置への装着状態を示す説明図。
【符号の説明】
１…薬剤収容容器
1a…薬剤収容容器本体
２…薬剤収納部
４…薬剤整列部
５…薬剤搬出ローター
5a…整列ローター
5b…攪拌ローター
７…排出口
８…仕切体
14…弾発体
【図１】
0003886178.tif 000002
【図２】
0003886178.tif 000003
【図３】
0003886178.tif 000004
【図４】
0003886178.tif 000005
【図５】
0003886178.tif 000006